(57)【要約】【課題】多数の広告主による広告データを多数の音楽データに容易に付与し、配信することが可能な音楽データ配信システムを提供する。【解決手段】音楽データ配信サーバ１内の広告データ付加手段１２は、携帯端末２から音楽データのダウンロード要求を受信すると、音楽データデータベース１０から該当する音楽データを取り出す。さらに、広告データ付加手段１２は、選択頻度係数付加手段１３で付加される選択頻度係数に基づいて広告データデータベース１１から広告データを取り出し、音楽データに付加する。広告データが付加された音楽データは送信手段１４から携帯端末２へ送信される。携帯端末２は、ダウンロードした音楽データを着信音に割り当てる。この後、携帯端末２は、着信時に音楽データを再生するとともに、該音楽データに付加された広告データを表示する。【選択図】図１
2008042833.tif 000002
【特許請求の範囲】
【請求項１】
携帯端末と音楽データ配信装置とから構成される音楽データ配信システムにおいて、
前記音楽データ配信装置は、
複数の音楽データを記憶する音楽データ記憶手段と、
複数の広告主による複数の広告データを記憶する広告データ記憶手段と、
前記広告データに対して、該広告データが選択される頻度を示す選択頻度係数を付加する選択頻度係数付加手段と、
前記携帯端末からの音楽データのダウンロード要求受信時に、前記音楽データ記憶手段から該音楽データを取り出す音楽データ取得手段と、
前記選択頻度係数に従って前記広告データ記憶手段より広告データを取り出す広告データ取得手段と、
前記音楽データ取得手段で取り出した音楽データに前記広告データ取得手段で取り出した広告データを付加する広告データ付加手段と、
前記広告データ付加手段で広告データが付加された音楽データを前記携帯端末に送信する送信手段と
を具備し、
前記携帯端末は、
前記音楽データ配信装置と通信を行う通信手段と、
前記音楽データ配信装置から受信した音楽データを再生する第一の再生手段と、
該音楽データに付加された広告データを再生する第二の再生手段と、
を具備することを特徴とする音楽データ配信システム。
【請求項２】
前記携帯端末は、着信時に前記第一の再生手段で前記音楽データを再生するとともに前記第二の再生手段で前記広告データを再生することを特徴とする請求項１に記載の音楽データ配信システム。
【請求項３】
前記広告データは画像データであり、
前記携帯端末の第二の再生手段は、前記画像データを表示する表示手段であることを特徴とする請求項１又は請求項２に記載の音楽データ配信システム。
【請求項４】
前記広告データはＨＴＭＬ形式のデータまたはＪＡＶＡアプリケーションまたはシーケンスデータであり、
前記携帯端末の第二の再生手段は、それぞれのデータ形式に従った処理を行うＨＴＭＬデータ再生手段であることを特徴とする請求項１又は請求項２に記載の音楽データ配信システム。
【請求項５】
前記選択頻度係数付加手段は、前記広告データに対して広告主より支払われた広告料の金額を入力し、該金額に基づいて選択頻度係数を決定し該広告データに付加することを特徴とする請求項１から請求項４の何れか１項に記載の音楽データ配信システム。
【請求項６】
複数の音楽データを記憶する音楽データ記憶手段と、
複数の広告主による複数の広告データを記憶する広告データ記憶手段と、
前記広告データに対して、該広告データが選択される頻度を示す選択頻度係数を付加する選択頻度係数付加手段と、
携帯端末からの音楽データのダウンロード要求受信時に、前記音楽データ記憶手段から該音楽データを取り出す音楽データ取得手段と、
前記選択頻度係数に従って前記広告データ記憶手段より広告データを取り出す広告データ取得手段と、
前記音楽データ取得手段で取り出した音楽データに前記広告データ取得手段で取り出した広告データを付加する広告データ付加手段と、
前記広告データ付加手段で広告データが付加された音楽データを前記携帯端末に送信する送信手段と
を具備することを特徴とする音楽データ配信装置。
【発明の詳細な説明】
【技術分野】
【０００１】
本発明は、音楽データに広告データを付加して配信を行う音楽データ配信システム及び音楽データ配信装置に関する。
【背景技術】
【０００２】
従来、広告主が制作した広告を着信メロディ等に付加して携帯電話機に配信する音楽データ配信システムが知られている（例えば、特許文献１参照）。特許文献１に記載の楽曲配信システムは、広告主が所望の楽曲を選択して広告を付加し楽曲データベースに登録するものである。ユーザが広告付きの楽曲を携帯電話機にダウンロードすると、ユーザに特典が付与される代わりに、携帯電話機の画面に広告が表示される。
【０００３】
また、特許文献２では、予め広告主が着信音データに広告データを付加してサーバ上のデータベースに格納することが開示されている。
【特許文献１】特開２００３−３３７５８９号公報
【特許文献２】特開２００１−２３７９７０号公報
【発明の開示】
【発明が解決しようとする課題】
【０００４】
しかし、上記従来の音楽データ配信システムでは、広告主が音楽データを選択して広告を付与する必要があるため、多数の音楽データに広告を付与する場合には音楽データの選択や広告データの付加に要する手間が大きい。このため、多くの広告主が多数の音楽データに対して容易に広告を載せることが可能な音楽データ配信システムが望まれていた。
【０００５】
本発明は上記事情を考慮してなされたもので、その目的は、多数の広告主による広告データを多数の音楽データに容易に付与し、配信することが可能な音楽データ配信システムを提供することである。
【課題を解決するための手段】
【０００６】
本発明は上記の課題を解決するためになされたもので、請求項１に記載の発明は、携帯端末と音楽データ配信装置とから構成される音楽データ配信システムにおいて、前記音楽データ配信装置は、複数の音楽データを記憶する音楽データ記憶手段と、複数の広告主による複数の広告データを記憶する広告データ記憶手段と、前記広告データに対して、該広告データが選択される頻度を示す選択頻度係数を付加する選択頻度係数付加手段と、前記携帯端末からの音楽データのダウンロード要求受信時に、前記音楽データ記憶手段から該音楽データを取り出す音楽データ取得手段と、前記選択頻度係数に従って前記広告データ記憶手段より広告データを取り出す広告データ取得手段と、前記音楽データ取得手段で取り出した音楽データに前記広告データ取得手段で取り出した広告データを付加する広告データ付加手段と、前記広告データ付加手段で広告データが付加された音楽データを前記携帯端末に送信する送信手段とを具備し、前記携帯端末は、前記音楽データ配信装置と通信を行う通信手段と、前記音楽データ配信装置から受信した音楽データを再生する第一の再生手段と、該音楽データに付加された広告データを再生する第二の再生手段と、を具備することを特徴とする。
【０００７】
また、請求項２に記載の発明は、請求項１に記載の発明において、前記携帯端末は、着信時に前記第一の再生手段で前記音楽データを再生するとともに前記第二の再生手段で前記広告データを再生することを特徴とする。
【０００８】
また、請求項３に記載の発明は、請求項１又は請求項２に記載の発明において、前記広告データは画像データであり、前記携帯端末の第二の再生手段は、前記画像データを表示する表示手段であることを特徴とする。
【０００９】
また、請求項４に記載の発明は、請求項１又は請求項２に記載の発明において、前記広告データはＨＴＭＬ形式のデータまたはＪＡＶＡ（登録商標）アプリケーションまたはシーケンスデータであり、前記携帯端末の第二の再生手段は、それぞれのデータ形式に従った処理を行うＨＴＭＬデータ再生手段であることを特徴とする。
【００１０】
また、請求項５に記載の発明は、請求項１から請求項４の何れか１項に記載の発明において、前記選択頻度係数付加手段は、前記広告データに対して広告主より支払われた広告料の金額を入力し、該金額に基づいて選択頻度係数を決定し該広告データに付加することを特徴とする。
【００１１】
また、請求項６に記載の発明は、複数の音楽データを記憶する音楽データ記憶手段と、複数の広告主による複数の広告データを記憶する広告データ記憶手段と、前記広告データに対して、該広告データが選択される頻度を示す選択頻度係数を付加する選択頻度係数付加手段と、携帯端末からの音楽データのダウンロード要求受信時に、前記音楽データ記憶手段から該音楽データを取り出す音楽データ取得手段と、前記選択頻度係数に従って前記広告データ記憶手段より広告データを取り出す広告データ取得手段と、前記音楽データ取得手段で取り出した音楽データに前記広告データ取得手段で取り出した広告データを付加する広告データ付加手段と、前記広告データ付加手段で広告データが付加された音楽データを前記携帯端末に送信する送信手段とを具備することを特徴とする音楽データ配信装置である。
【発明の効果】
【００１２】
本発明によれば、携帯端末からのダウンロード要求受信時に、複数の広告データから該広告データに付加された選択頻度係数に従って広告データが選択され、該ダウンロード要求で要求された音楽データに付加されるため、広告主が予め楽曲を選択して広告を付与する必要がなく、多数の広告主による広告データを多数の音楽データに容易に付与し、配信することができる。
【発明を実施するための最良の形態】
【００１３】
以下、図面を参照して本発明の実施形態について説明する。
図１は、本発明の一実施形態に係る音楽データ配信システムの構成を示す構成図である。図１において、音楽データ配信システムは音楽データ配信サーバ（音楽データ配信装置）１と携帯端末２とから構成される。
【００１４】
音楽データ配信サーバ１内の音楽データデータベース１０（音楽データ記憶手段）は、複数の音楽データを記憶するデータベースであり、新たな音楽データにより随時更新される。広告データデータベース１１（広告データ記憶手段）は、複数の広告主による複数の広告データを記憶するデータベースであり、広告主が音楽データ配信サーバ１の管理者に広告料を支払って広告データの提供を行うことで随時更新される。
【００１５】
広告データ付加手段１２は、携帯端末２からのダウンロード要求指示に基づいて音楽データデータベース１０から音楽データを取り出し、広告データデータベース１１から取り出した広告データを付加して送信手段１４に出力するものである。
【００１６】
選択頻度係数付加手段１３は、広告データデータベース１１で記憶する広告データに選択頻度係数を付加するものである。広告データ付加手段１２は、この選択頻度係数に基づいて取り出す広告データの選択を行う。送信手段１４は、広告データ付加手段１２から広告データが付加された音楽データを入力し、携帯端末２へ送信するものである。
【００１７】
図２は、図１の携帯端末２の構成を示す構成図である。
図２において、ＣＰＵ２０１は、携帯端末２内の各部を制御するＣＰＵ（Central Processing Unit）である。通信部２０２（通信手段）は、アンテナ２０３を介して受信した高周波信号を復調し、復調によって得られた音声データについては音声処理部２０４へ出力し、メール等の文字データについてはバスライン２１３を介してＣＰＵ２０１へ出力するものである。また、通信部２０２は、ＣＰＵ２０１から供給される文字データおよび音声処理部２０４から出力される音声データによって高周波の搬送波を変調しアンテナ２０３からへ発信するものである。音楽データ配信サーバ１との通信は、通信部２０２を介して行う。
【００１８】
音声処理部２０４は、マイクロフォン２０５から出力される音声信号をデジタル音声データに変換し、さらに圧縮して通信部２０２へ出力する。また、通信部２０２から入力される圧縮されたデジタル音声データを伸長し、アナログ信号に変換してイヤスピーカ２０６へ出力する。
【００１９】
音源２０７（第一の再生手段）は、ＭＩＤＩ（Musical Instruments Digital Interface）形式の音楽データや圧縮オーディオデータから楽音信号を出力する音源である。スピーカ２０８は、音源２０７から出力された楽音信号を再生するものである。
【００２０】
操作キー部２０９は、テンキーやファンクションキー等を備え、ユーザの指示入力を取り込むものである。ＲＡＭ２１０は、ＣＰＵ２０１が使用するメモリ領域を提供するＲＡＭ（Random Access Memory）である。ＲＯＭ２１１は、ＣＰＵ２０１が実行するプログラム等を保持するＲＯＭ（Read Only Memory）である。
【００２１】
表示部２１２（表示手段）は、ＣＰＵ２０１からの指示に基づきユーザに示すべき情報を表示する液晶ディスプレイである。バスライン２１３は、携帯端末２内の各部を相互に接続するバスラインである。
【００２２】
なお、携帯端末２はダウンロードした音楽データを着信音に設定することが可能であり、着信時に着信音を再生するとともに該音楽データに付加された広告データを表示部２１２に表示させる機能をＣＰＵ２０１に実行させるアプリケーションが実装されている。
【００２３】
続いて、図３を参照し、広告データが付加された音楽データのファイル構造を説明する。図３において、音楽データ３はＳＭＡＦ（Synthetic music Mobile Application Format）形式のファイルであり、４つのチャンクから構成される。
【００２４】
符号３１は、Contents Info Chunkであり、ファイルの管理用のデータが格納される。管理用のデータとは、例えば、音楽データ３に含まれるコンテンツの種類やコンテンツ複製許可などの情報である。符号３２は、Optional Data Chunkであり、ジャンル名、曲名、アーティスト名、作詞／作曲者名等の音楽データ固有の情報が格納される。
【００２５】
符号３３は、Score Track Chunkであり、音源２０８へ送り込む楽曲のシーケンス・トラックが格納される。なお、Score Track Chunkに格納されるのはＭＩＤＩ形式の楽曲データであり、オーディオデータは別のチャンク（図示せず）に格納される。符号３４は、Graphics Track Chunkであり、表示部２１２に表示させるための描画シーケンスデータ、画像データ、テキストデータなどが格納される。
【００２６】
広告データは、そのデータ形式により格納されるチャンクが異なる。具体的には、広告データが表示系のデータである場合はGraphics Track Chunkに格納するが、ＨＴＭＬ（Hyper Text Markup Language）やＪａｖａＳｃｒｉｐｔ（登録商標）、Ｊａｖａ（登録商標）アプリケーション等のデータである場合はOptional Data Chunkに格納する。
【００２７】
続いて、図１の選択頻度係数付加手段１３から出力する選択頻度係数について説明する。選択頻度係数は、広告データ付加手段１２において、音楽データに対してどの広告データを付加するかを決定する際に参照される係数であり、音楽データ配信サーバ１の管理者（以下では、サーバ管理者と呼ぶ。）が決定するものである。
【００２８】
選択頻度係数の決定は、例えば以下の手順で行う。まず、サーバ管理者が、複数の広告主から広告データを募り、広告主から各広告データに対する広告料の提供を受ける。この広告料の金額に関する情報は選択頻度係数付加手段１３に入力される。その後、選択頻度係数付加手段１３は、全ての広告データについて、全ての広告料の合計に対する各広告データの広告料の割合を算出し、その割合を各広告データの選択頻度係数とする。
【００２９】
本実施形態では、携帯端末２からの１曲のダウンロード要求に対して、広告データ付加手段１２において付加される広告データがランダムに選択されるが、各広告データが選択される割合は選択頻度係数によって重み付けがなされる。具体的には、ある広告データの広告料が広告料全体の５％であったとすると、音楽データ配信サーバ１に対する全てのダウンロード要求の５％に対してその広告データが付加される。
【００３０】
なお、選択頻度係数付加手段１３における選択頻度係数の決定方法は上述した方法の他にも様々なバリエーションが考えられる。例えば、音楽データのジャンルやデータの種類によって選択頻度係数を変えるようにしてもよいし、特定の音楽データに対しては広告料の割合の大きい広告データのみが選択されるようにしてもよい。
【００３１】
さらに、音楽データ配信サーバ１で事前に携帯端末２のユーザ情報を収集し、選択頻度係数付加手段１３は、各広告データの選択頻度係数及びユーザ情報に基づいて、新たな選択頻度係数を算出することで、広告データ付加手段１２により選択される広告データはユーザ情報に基づくものとなり、ターゲットを絞った広告データの配信も可能となる。
【００３２】
次に、携帯端末２からのダウンロード要求に対して、音楽データ配信サーバ１が広告データを付加して配信する手順について図４のフローチャートを参照して説明する。
まず、音楽データ配信サーバ１の広告データ付加手段１２は、携帯端末２から音楽データのダウンロード要求があったか否かを判定する（ステップＳ４０１）。
【００３３】
ダウンロード要求があった場合には次のステップへと進み（ステップＳ４０１：Ｙｅｓ）、広告データ付加手段１２はダウンロード要求のあった音楽データを音楽データデータベース１０から取り出す（ステップＳ４０２、音楽データ取得手段）。
【００３４】
広告データ付加手段１２は、選択頻度係数付加手段１３により付加された選択頻度係数に基づいて、広告データデータベース１１から広告データを選択する（ステップＳ４０３、広告データ取得手段）。広告データ付加手段１２は、選択した広告データをそのデータ形式に応じて図３に示したファイル形式のOptional Data Chunk（３２）又はGraphics Track Chunk（３４）に格納し、広告データを付加した音楽データを生成する（ステップＳ４０４、広告データ付加手段）。
【００３５】
広告データ付加手段１２は、広告データを付加した音楽データを送信手段１４に出力し、送信手段１４は該音楽データを携帯端末２へ送信する（ステップＳ４０５）。以後、ステップＳ４０１〜Ｓ４０５の処理を繰り返し実行する。
【００３６】
このように、本実施形態では、広告データ付加手段１２が選択頻度係数に基づいて広告データを選択し音楽データに付加するため、広告主が予め音楽データを選択して広告を付与する必要がなく、多数の広告主による広告データを多数の音楽データに容易に付与し、配信することができる。
【００３７】
続いて、図４の手順で音楽データ配信サーバ１から配信された、広告データの付加された音楽データを携帯端末２で再生する際の処理に関して説明する。
携帯端末２は、広告データの付加された音楽データを受信すると、専用のアプリケーションを起動して音楽データと広告データとに分離する。以降、音楽データと広告データはデータ形式に合わせて最適なアプリケーションで別々に処理を行う。
【００３８】
ユーザによる操作を操作キー部２０９が入力し、ダウンロードした音楽データが着信音に割り当てられると、電話の着信時に該音楽データが音源２０７を介してスピーカ２０８により再生される。広告データが画像データである場合には、着信時に音楽データが再生されている間、該音楽データに付加されていた広告データを表示部２１２に表示する。
【００３９】
なお、広告データを表示するタイミングは、音楽データの再生時のみでもよいし、着信後通話終了時まででもよいし、あるいは通話終了後も広告データを継続して表示する形態としてもよい。また、音楽データをメールの着信音に割り当てる場合には、メール受信後に該音楽データに付加された広告データを表示部２１２に表示する。
【００４０】
一方、広告データがＨＴＭＬ形式のデータである場合には、ブラウザ（ＨＴＭＬデータ再生手段）等でＨＴＭＬデータを解釈し、ＨＴＭＬデータに従って表示等の処理を行う。また、広告データがＪａｖａＳｃｒｉｐｔ（登録商標）やＪＡＶＡ（登録商標）アプリケーションである場合には、ＣＰＵ２０１はそれらを実行して表示等の処理を行う。また、広告データがGraphics Track Chunkに格納された描画シーケンスデータと画像データまたはテキストデータである場合は、ＣＰＵ２０１は描画シーケンスデータに従って所定のタイミングで画像データまたはテキストデータの表示処理を行う。
【００４１】
本実施形態では、広告データの付加された音楽データのダウンロード後に音楽データと広告データとを分離する専用のアプリケーションを用いるため、このアプリケーションを実装している携帯端末のみでダウンロード可能な仕組みとしてもよい。また、広告付き音楽データが携帯端末にダウンロードされると、自動的に着信音に設定されるようにしてもよい。
【００４２】
本実施形態の音楽データ配信システムを用いることにより、音楽データ配信サーバ１の管理者は広告主から提供された広告料でもって音楽データの配信を行うことも可能となり、携帯端末２のユーザが無料で広告付き音楽データを入手可能なビジネスモデルが実現できる。
【００４３】
以上、本発明の実施形態を詳述してきたが、具体的な構成は本実施形態に限られるものではなく、本発明の要旨を逸脱しない範囲の設計変更等も含まれる。
【産業上の利用可能性】
【００４４】
本発明は、音楽データに広告データを付加して配信を行う音楽データ配信システムに用いて好適である。
【図面の簡単な説明】
【００４５】
【図１】本発明の一実施形態に係る音楽データ配信システムの構成を示す構成図である。
【図２】図１の携帯端末２の構成を示す構成図である。
【図３】広告データが付加された音楽データのファイル構造を示す図である。
【図４】図１の携帯端末２からのダウンロード要求に対して、図１の音楽データ配信サーバ１が広告データを付加して配信する手順を示すフローチャートである。
【符号の説明】
【００４６】
１…音楽データ配信サーバ、２…携帯端末、３…音楽データ、１０…音楽データデータベース（音楽データ記憶手段）、１１…広告データデータベース（広告データ記憶手段）、１２…広告データ付加手段、１３…選択頻度係数付加手段、１４…送信手段、２０１…ＣＰＵ、２０２…通信部（通信手段）、２０３…アンテナ、２０４…音声処理部、２０５…マイク、２０６…イヤスピーカ、２０７…音源（第一の再生手段）、２０８…スピーカ、２０９…操作キー部、２１０…ＲＡＭ、２１１…ＲＯＭ、２１２…表示部（表示手段）、２１３…バスライン。
【図１】
2008042833.tif 000003
【図２】
2008042833.tif 000004
【図３】
2008042833.tif 000005
【図４】
2008042833.tif 000006